(57)【要約】【課題】フィッシャー・トロプシュ法によって得られる留分であって１００℃で３ｃＳｔ未満の粘度を有する該留分を、各種仕様を満たす完成潤滑剤を混合するのに適した潤滑基油を調製するのに用いる。【解決手段】フィッシャー・トロプシュ法によって得られる留分であって１００℃で約２ｃＳｔ以上であるが３ｃＳｔ未満の粘度を有する該留分を、フィッシャー・トロプシュ法により得られる少なくとも１種の追加留分であって１００℃で約３．８ｃＳｔより大きい粘度を有する該追加留分と混合することによって、フィッシャー・トロプシュ法により得られる潤滑基油を製造する方法；１００℃で約３ｃＳｔ〜約１０ｃＳｔの粘度と、約３５重量％未満のＴＧＡノアック揮発度とを有する潤滑基油組成物；及び、前述の潤滑基油を用いている完成潤滑剤とする。【選択図】なし【特許請求の範囲】
【請求項１】
フィッシャー・トロプシュ法によって得られる潤滑基油を製造する方法において、
ａ）フィッシャー・トロプシュ法によって得られる生成物を回収する工程；
ｂ）フィッシャー・トロプシュ法によって得られる前記生成物を、少なくとも、第１の留分と第２の留分とに分離する工程であって、第１の留分が１００℃で約２ｃＳｔ以上であるが３ｃＳｔ未満である粘度によって特徴付けられ、しかも、第２の留分が１００℃で約３．８ｃＳｔ以上の粘度によって特徴付けられる該工程；及び
ｃ）第１の留分を第２の留分と適切な割合で混合して、フィッシャー・トロプシュ法によって得られる潤滑基油であって、１００℃で約３ｃＳｔ〜約１０ｃＳｔの間の粘度と、約３５重量％未満のＴＧＡノアック揮発度とを有することによって特徴付けられる該潤滑基油を製造する工程；
を包含する、上記製造方法。
【請求項２】
第１の留分は、１００℃で約２．１〜２．８ｃＳｔの間の粘度を有する、請求項１に記載の方法。
【請求項３】
第１の留分は、１００℃で約２．２〜２．７ｃＳｔの間の粘度を有する、請求項２に記載の方法。
【請求項４】
第２の留分は、１００℃で約４〜約１２ｃＳｔの間の粘度を有する、請求項１に記載の方法。
【請求項５】
第２の留分は、１００℃で約３．８〜約８ｃＳｔの間の粘度を有する、請求項４に記載の方法。
【請求項６】
第２の留分は、１００℃で約３．８〜約５ｃＳｔの間の粘度を有する、請求項５に記載の方法。
【請求項７】
フィッシャー・トロプシュ法によって得られる潤滑基油は、１００℃で約４．２〜約４．８ｃＳｔの間の粘度を有する、請求項６に記載の方法。
【請求項８】
フィッシャー・トロプシュ法によって得られる第３の留分であって１００℃で６ｃＳｔ〜約１２ｃＳｔの間の粘度を有する該留分を、フィッシャー・トロプシュ法によって得られる潤滑基油の中に混合する追加工程を包含する、請求項６に記載の方法。
【請求項９】
第２の留分は、１００℃で約５．８〜約６．６ｃＳｔの間の粘度を有する、請求項５に記載の方法。
【請求項１０】
第２の留分は、１００℃で約８ｃＳｔより大きく約１０ｃＳｔ以下の範囲内の粘度を有する、請求項４に記載の方法。
【請求項１１】
第２の留分は、１００℃で約１０ｃＳｔより大きく約１２ｃＳｔ以下の範囲内の粘度を有する、請求項４に記載の方法。
【請求項１２】
１００℃で約９〜約２０ｃＳｔの間の粘度を有する底留分を、第１の留分及び第２の留分と混合する、請求項１に記載の方法。
【請求項１３】
底留分は、１００℃で約１０〜約１６ｃＳｔの間の粘度を有する、請求項１２に記載の方法。
【請求項１４】
フィッシャー・トロプシュ法によって得られる潤滑基油は、１００℃で約４ｃＳｔ〜約５ｃＳｔの間の粘度を有する、請求項１に記載の方法。
【請求項１５】
フィッシャー・トロプシュ法によって得られる潤滑基油のＴＧＡノアック揮発度は、１２重量％より大きい、請求項１に記載の方法。
【請求項１６】
フィッシャー・トロプシュ法によって得られる潤滑基油を少なくとも１種の添加剤と混合して、完成潤滑剤を製造する追加工程を包含する、請求項１に記載の方法。
【請求項１７】
フィッシャー・トロプシュ法によって得られる潤滑基油を、全混合物に基づき、従来の中性の群Ｉ又は群IIの潤滑基油約４０重量％〜約９０重量％と混合する追加工程を包含する、請求項１に記載の方法。
【請求項１８】
フィッシャー・トロプシュ法によって得られる潤滑基油を、全混合物に基づき、従来の中性の群Ｉ又は群IIの潤滑基油約４０重量％〜約７０重量％と混合する、請求項１７に記載の方法。
【請求項１９】
フィッシャー・トロプシュ法によって得られる潤滑基油を含有している潤滑基油生成物であって、前記潤滑基油が、
ａ）フィッシャー・トロプシュ法によって得られる生成物を回収する工程；
ｂ）フィッシャー・トロプシュ法によって得られる前記生成物を、少なくとも、第１の留分と第２の留分とに分離する工程であって、第１の留分が１００℃で約２ｃＳｔ以上であるが３ｃＳｔ未満である粘度によって特徴付けられ、しかも、第２の留分が１００℃で約３．８ｃＳｔ〜約８．５ｃＳｔの間の粘度によって特徴付けられる該工程；及び
ｃ）第１の留分を第２の留分と適切な割合で混合して、フィッシャー・トロプシュ法によって得られる潤滑基油であって、１００℃で約３ｃＳｔ〜約８ｃＳｔの間の粘度と、約３５重量％未満のＴＧＡノアック揮発度とを有することによって特徴付けられる該潤滑基油を製造する工程；
を包含する方法に従って製造されている、上記潤滑基油生成物。
【請求項２０】
分析方法Ｄ−６３５２又はそれと同等の方法によって、５％点〜９５％点の間で少なくとも３００°Ｆ（１６７℃）の沸点範囲分布を有している、請求項１９に記載のフィッシャー・トロプシュ法によって得られる潤滑基油。
【請求項２１】
ＴＧＡノアック揮発度が１２重量％以上である、請求項１９に記載のフィッシャー・トロプシュ法によって得られる潤滑基油。
【請求項２２】
ＴＧＡノアック揮発度が約２０重量％より大きい、請求項２１に記載のフィッシャー・トロプシュ法によって得られる潤滑基油。
【請求項２３】
粘度指数が約１３０〜約１７５の間である、請求項１９に記載のフィッシャー・トロプシュ法によって得られる潤滑基油。
【請求項２４】
全イオウ含有量が約５ｐｐｍ未満である、請求項１９に記載のフィッシャー・トロプシュ法によって得られる潤滑基油。
【請求項２５】
最終混合物に基づき、従来の中性の群Ｉ又は群IIの潤滑基油約４０重量％〜約９０重量％を更に含有している、請求項１９に記載の潤滑基油生成物。
【請求項２６】
最終混合物に基づき、従来の中性の群Ｉ又は群IIの潤滑基油約４０重量％〜約７０重量％を更に含有している、請求項２５に記載の潤滑基油生成物。
【請求項２７】
請求項１９に記載の潤滑基油生成物と少なくとも１種の添加剤とを含有している完成潤滑剤。
【請求項２８】
「米国自動車技術者協会（ＳＡＥ）Ｊ３００」仕様（２００１年６月）を満たすマルチグレイド・クランク室用潤滑油である、請求項２７に記載の完成潤滑剤。
【請求項２９】
５Ｗ−ＸＸの仕様を満たしている、請求項２８に記載の完成潤滑剤。
【請求項３０】
１０Ｗ−ＸＸの仕様を満たしている、請求項２８に記載の完成潤滑剤。
【請求項３１】
従来の中性の群Ｉ又は群IIの潤滑基油を更に含有している、請求項２８に記載の完成潤滑剤。
【請求項３２】
１０Ｗ−ＸＸの仕様を満たしている、請求項３１に記載の完成潤滑剤。
【請求項３３】
１５Ｗ−ＸＸの仕様を満たしている、請求項３１に記載の完成潤滑剤。
【請求項３４】
フィッシャー・トロプシュ法によって得られる潤滑基油を含有している潤滑基油生成物であって、前記潤滑基油が、
ａ）フィッシャー・トロプシュ法によって得られる生成物を回収する工程；
ｂ）フィッシャー・トロプシュ法によって得られる前記生成物を、少なくとも、第１の留分と第２の留分とに分離する工程であって、第１の留分が１００℃で約２ｃＳｔ以上であるが３ｃＳｔ未満である粘度によって特徴付けられ、しかも、第２の留分が１００℃で約７ｃＳｔ〜約１２ｃＳｔの間の粘度によって特徴付けられる該工程；及び
ｃ）第１の留分を第２の留分と適切な割合で混合して、フィッシャー・トロプシュ法によって得られる潤滑基油であって、１００℃で約３ｃＳｔ〜約９ｃＳｔの間の粘度と、約３５重量％未満のＴＧＡノアック揮発度とを有することによって特徴付けられる該潤滑基油を製造する工程；
を包含する方法に従って製造されている、上記潤滑基油生成物。
【請求項３５】
１００℃で約１２〜約２０ｃＳｔの間の粘度を有する底留分が、第１の留分及び第２の留分と混合されている、請求項３４に記載のフィッシャー・トロプシュ法によって得られる潤滑基油。
【請求項３６】
分析方法Ｄ−６３５２又はそれと同等の方法によって、５％点〜９５％点の間で少なくとも３５０°Ｆの沸点範囲分布を有している、請求項３４に記載のフィッシャー・トロプシュ法によって得られる潤滑基油。
【請求項３７】
分析方法Ｄ−６３５２又はそれと同等の方法によって、５％点〜９５％点の間で少なくとも４００°Ｆの沸点範囲分布を有している、請求項３６に記載のフィッシャー・トロプシュ法によって得られる潤滑基油。
【請求項３８】
粘度が、１００℃で約４〜約８ｃＳｔの間である、請求項３４に記載のフィッシャー・トロプシュ法によって得られる潤滑基油。
【請求項３９】
粘度が、１００℃で約４〜約５ｃＳｔの間である、請求項３８に記載のフィッシャー・トロプシュ法によって得られる潤滑基油。
【請求項４０】
ＴＧＡノアック揮発度が１２重量％以上である、請求項３４に記載のフィッシャー・トロプシュ法によって得られる潤滑基油。
【請求項４１】
ＴＧＡノアック揮発度が２０重量％より大きい、請求項４０に記載のフィッシャー・トロプシュ法によって得られる潤滑基油。
【請求項４２】
粘度指数が約１３０〜約１７５の間である、請求項３４に記載のフィッシャー・トロプシュ法によって得られる潤滑基油。
【請求項４３】
全イオウ含有量が約５ｐｐｍ未満である、請求項３４に記載のフィッシャー・トロプシュ法によって得られる潤滑基油。
【請求項４４】
最終混合物に基づき、従来の中性の群Ｉ又は群IIの潤滑基油約４０重量％〜約９０重量％を更に含有している、請求項３４に記載の潤滑基油生成物。
【請求項４５】
最終混合物に基づき、従来の中性の群Ｉ又は群IIの潤滑基油約４０重量％〜約７０重量％を含有している、請求項４４に記載の潤滑基油生成物。
【請求項４６】
請求項３４に記載の潤滑基油生成物と少なくとも１種の添加剤とを含有している完成潤滑剤。
【請求項４７】
「米国自動車技術者協会（ＳＡＥ）  Ｊ３００」仕様（２００１年６月）を満たしているマルチグレイド・クランク室用潤滑油である、請求項４６に記載の完成潤滑剤。
【請求項４８】
５Ｗ−ＸＸの仕様を満たしている、請求項４７に記載の完成潤滑剤。
【請求項４９】
１０Ｗ−ＸＸの仕様を満たしている、請求項４７に記載の完成潤滑剤。
【請求項５０】
従来の中性の群Ｉ又は群IIの潤滑基油を更に含有している、請求項４６に記載の完成潤滑剤。
【請求項５１】
１０Ｗ−ＸＸの仕様を満たしている、請求項５０に記載の完成潤滑剤。
【請求項５２】
１５Ｗ−ＸＸの仕様を満たしている、請求項４６に記載の完成潤滑剤。
【請求項５３】
約３ｃＳｔ〜約１０ｃＳｔの間の粘度を有しており、しかも、フィッシャー・トロプシュ法によって得られる潤滑基油を含有している潤滑基油生成物であって、前記潤滑基油が、１００℃で約３〜約９ｃＳｔの間の粘度と、約３５重量％未満のＴＧＡノアック揮発度と、約５５０°Ｆ〜約６２５°Ｆの範囲内の初留点と、約１０００°Ｆ〜約１４００°Ｆの間の最終沸点とによって特徴付けられ；しかも、前記混合物の２０重量％未満が、５０％沸点±２５°Ｆにより規定される領域内で沸騰する、上記潤滑基油生成物。
【請求項５４】
分析方法Ｄ−６３５２又はそれと同等の方法によって、５％点〜９５％点の間で少なくとも３５０°Ｆの沸点範囲分布を有している、請求項５３に記載のフィッシャー・トロプシュ法によって得られる潤滑基油。
【請求項５５】
分析方法Ｄ−６３５２又はそれと同等の方法によって、５％点〜９５％点の間で少なくとも４００°Ｆの沸点範囲分布を有している、請求項５４に記載のフィッシャー・トロプシュ法によって得られる潤滑基油。
【請求項５６】
粘度が、１００℃で約４〜約５ｃＳｔの間である、請求項５３に記載のフィッシャー・トロプシュ法によって得られる潤滑基油。
【請求項５７】
ＴＧＡノアック揮発度が１２重量％以上である、請求項５３に記載のフィッシャー・トロプシュ法によって得られる潤滑基油。
【請求項５８】
ＴＧＡノアック揮発度が２０重量％より大きい、請求項５７に記載のフィッシャー・トロプシュ法によって得られる潤滑基油。
【請求項５９】
粘度指数が約１３０〜約１７５の間である、請求項５３に記載のフィッシャー・トロプシュ法によって得られる潤滑基油。
【請求項６０】
全イオウ含有量が約５ｐｐｍ未満である、請求項５３に記載のフィッシャー・トロプシュ法によって得られる潤滑基油。
【発明の詳細な説明】
【技術分野】
【０００１】
（発明の分野）
本発明は、フィッシャー・トロプシュ法により得られた低粘度の基油留分を、フィッシャー・トロプシュ法により得られた高粘度の基油留分と混合して、商業的な完成潤滑剤（ｆｉｎｉｓｈｅｄ  ｌｕｂｒｉｃａｎｔ）（例えば、クランク室用エンジンオイル）を調製するのに有用な、高品質の潤滑基油を製造することに関する。
【背景技術】
【０００２】
（発明の背景）
自動車、ディーゼル機関、車軸、トランスミッション、及び産業上の諸用途のために用いられる諸完成潤滑剤は、２種類の一般的成分、潤滑基油及び添加剤から成っている。潤滑基油は、これら完成潤滑剤の主要成分であり、該完成潤滑剤の特性に著しく寄与する。一般に、２、３種の潤滑基油は、個々の潤滑基油と個々の添加剤の混合物を変えることによって多種多様の完成潤滑剤を製造するのに用いられる。
【０００３】
とりわけ、原機製造会社（ＯＥＭ’ｓ）、米国石油協会（ＡＰＩ）、欧州自動車工業会（ＡＣＥＡ）、米国材料試験協会（ＡＳＴＭ）、及び米国自動車技術者協会（ＳＡＥ）を包含する多くの管理機構は、潤滑基油及び完成潤滑剤に関する仕様を規定している。完成潤滑剤に関する仕様は、優れた低温特性、高い酸化安定性及び低揮発性を有する製品をますます要求している。現在のところ、今日製造されている基油の一部分のみが、これらの厳しい仕様を満たすことができる。
【０００４】
フィッシャー・トロプシュ法によって調製される合成石油は、種々の固体炭化水素、液体炭化水素及び気体炭化水素の混合物を含有している。フィッシャー・トロプシュ法によって得られるこれら生成物であって、潤滑基油の範囲内で沸騰する該生成物は、それら生成物を、潤滑基油の原料油に加工するための理想的な候補（ｃａｎｄｉｄａｔｅｓ）にするワックスを高い割合で含有している。従って、フィッシャー・トロプシュ法から回収される炭化水素生成物は、高品質の潤滑基油を調製するための供給原料として提案されてきた。フィッシャー・トロプシュ法により得られるワックスが、種々の方法［例えば、水素化処理（ｈｙｄｒｏｐｒｏｃｅｓｓｉｎｇ）及び蒸留］によって、フィッシャー・トロプシュ法により得られる基油に転化される場合、生成されるそれら基油は、留分の、異なる狭い粘度範囲に分類される。種々の留分の粘度は典型的には、１００℃で２．１ｃＳｔ〜１２ｃＳｔの範囲に及ぶ。潤滑基油の粘度は典型的には、１００℃で３〜３２ｃＳｔの範囲に入っているので、この粘度範囲から外れる基油は、使用が制限され、結果として、エンジンオイルに対する市場価値が小さくなっている。
【０００５】
フィッシャー・トロプシュ法によって典型的には、分子量が変動する広範囲に渡る生成物を含有する合成石油混合物が生成されるが、該混合物は、低い分子量と粘度とによって特徴付けられる該生成物を比較的高い割合で含有している。従って、通常、フィッシャー・トロプシュ法によって得られる生成物の比較的低い割合のみが、１００℃で３ｃＳｔを越える粘度を有し、その生成物は、市販の潤滑剤（例えば、エンジンオイル）を製造するための潤滑基油として直接有用であると思われる。フィッシャー・トロプシュ法によって得られるそれら基油であって、１００℃で３ｃＳｔ未満の粘度を有する該基油は、現在、市場が制限されており、通常、より低い分子量の物質（例えば、ディーゼル燃料及びナフサ）に分解されている。しかし、ディーゼル燃料及びナフサは、潤滑基油よりも市場価値が低い。これら低粘度基油の品質を高めて、潤滑基油として用いるのに適した生成物にすることができることは望ましいであろう。
【０００６】
石油から得られる供給原料から調製される従来の基油であって１００℃で３ｃＳｔ未満の粘度を有する該基油は、粘度指数（ＶＩ）が低く、揮発性が高い。従来、粘度が低い従来の基油は、粘度がより高い従来の基油と混合するのに適していない。なぜなら、その混合物は、大抵の完成潤滑剤のための、粘度指数及び揮発性の仕様を満たすことができないからである。意外にも、フィッシャー・トロプシュ法によって得られる基油であって１００℃で２ｃＳｔより大きく３ｃＳｔより小さい粘度を有する該基油は、著しく高い粘度指数を示し、その結果として、優れた低温特性と、従来の群Ｉ及び群ＩＩの軽質中性基油（Ｌｉｇｈｔ  Ｎｅｕｔｒａｌ  ｂａｓｅ  ｏｉｌｓ）であって１００℃で３．８ｃＳｔ〜４．７ｃＳｔの範囲に通常入る粘度を有する該軽質中性基油に見られる揮発度に類似する揮発度とを示す。更にいっそう意外なことは、フィッシャー・トロプシュ法によって得られる低粘度の基油を、フィッシャー・トロプシュ法によって得られるある種のより高い粘度の潤滑基油と混合した場合、優れた粘度指数が観測された。即ち、その混合物の粘度指数は、それら２種の留分の粘度指数を単に平均化することから予想されていたものよりも著しく高かった。以下にいっそう詳しく説明されるように、場合によっては、混合物の粘度指数は、該混合物を調製するのに用いた留分の両方の個々の粘度指数よりも実質的に大きかった。その結果として、フィッシャー・トロプシュ法によって得られる低粘度基油と高粘度基油の両方は、高品質の潤滑剤を調製するための混合用原料油として用いることができ好都合であることが見出だされた。
【０００７】
フィッシャー・トロプシュ法によって得られる潤滑基油混合物は、従来技術に記載されてきたものの、それら混合物を調製するのに用いられる方法と、従来技術の混合物の諸特性とは、本発明と異なっている。例えば、米国特許第６，３３２，９７４号；同第６，０９６，９４０号；同第４，８１２，２４６号；及び同第４，９０６，３５０号明細書を参照。フィッシャー・トロプシュ法によって得られる留分であって１００℃で３ｃＳｔ未満の粘度を有する該留分が、ＳＡＥのグレード０Ｗ、５Ｗ、１０Ｗ及び１５Ｗのマルチグレード・エンジンオイル；自動車トランスミッション流体；並びに、ＩＳＯの粘度グレード２２、３２及び４６の産業油；のための仕様を満たす完成潤滑剤を混合するのに適した潤滑基油を調製するのに用いることができるということは、以前、教示されなかった。本発明によれば、このことが可能となる。
【０００８】
この開示は、従来の潤滑基油に言及する場合、石油から得られる従来の潤滑基油であって、文献で詳しく実証され且つ当業者に知られている石油精製方法を用いて生成される該潤滑基油に言及する。
【０００９】
この開示で用いる用語「〜を含有する（ｃｏｍｐｒｉｓｅｓ；〜を包含する）」又は「〜を含有している（ｃｏｍｐｒｉｓｉｎｇ；〜を包含している）」は、列挙された要素（ｅｌｅｍｅｎｔｓ）を包含することを意味するが、他の列挙されなかった要素を必ずしも排除しない「制限なしトランジション（ｏｐｅｎ−ｅｎｄｅｄ  ｔｒａｎｓｉｔｉｏｎ）」として意図されている。字句「〜から本質的に成る（ｃｏｎｓｉｓｔｓ  ｅｓｓｅｎｔｉａｌｌｙ  ｏｆ）」又は「〜から本質的に成っている（ｃｏｎｓｉｓｔｉｎｇ  ｅｓｓｅｎｔｉａｌｌｙ  ｏｆ）」は、該組成物にとって本質的に重要なあらゆる物のうち他の要素を排除することを意味するように意図されている。字句「〜から成っている（ｃｏｎｓｉｓｔｉｎｇ  ｏｆ）」又は「〜から成る（ｃｏｎｓｉｓｔｓ  ｏｆ）」は、ごく微量の不純物を除いて、列挙される要素を除く全てを排除することを意味するトランジション（ｔｒａｎｓｉｔｉｏｎ）として意図されている。
【先行技術文献】
【特許文献】
【００１０】
【特許文献１】米国特許第６，３３２，９７４号
【特許文献２】米国特許第６，０９６，９４０号
【特許文献３】米国特許第４，８１２，２４６号
【特許文献４】米国特許第４，９０６，３５０号
【発明の概要】
【課題を解決するための手段】
【００１１】
（発明の要約）
本発明は、フィッシャー・トロプシュ法によって得られる潤滑基油を製造する方法において、（ａ）フィッシャー・トロプシュ法によって得られる生成物を回収する工程；（ｂ）フィッシャー・トロプシュ法によって得られる前記生成物を、少なくとも、第１の留分と第２の留分とに分離する工程であって、第１の留分が１００℃で約２ｃＳｔ以上であるが３ｃＳｔ未満である粘度を有することを特徴とし、しかも、第２の留分が１００℃で約３．８ｃＳｔ以上の粘度を有することを特徴としている該工程；及び、（ｃ）第１の留分を第２の留分と適切な割合で混合して、フィッシャー・トロプシュ法によって得られる潤滑基油であって、１００℃で約３ｃＳｔ〜約１０ｃＳｔの粘度と、約３５重量％未満のＴＧＡノアック揮発度（ＴＧＡ  Ｎｏａｃｋ  ｖｏｌａｔｉｌｉｔｙ）とを有することを特徴とする該潤滑基油を製造する工程；を包含する、上記製造方法に向けられている。本発明の方法を用いて調製される潤滑基油であって、高品質潤滑基油のための仕様を満たす該潤滑基油を調製した。フィッシャー・トロプシュ法によって得られる潤滑基油の諸特性は優れているため、フィッシャー・トロプシュ法によって得られる底留分（ｂｏｔｔｏｍｓ  ｆｒａｃｔｉｏｎ）であって、約９ｃＳｔ〜約２０ｃＳｔ、好ましくは約１０ｃＳｔ〜１６ｃＳｔの粘度を通常有する該底留分を前記混合物に添加することも可能であり、しかも、前記潤滑基油は、高品質エンジンオイルを調製するのに用いられるように意図されている潤滑基油のための種々の仕様を依然として満たす。本発明によると、フィッシャー・トロプシュ法によって得られる低粘度基油と高粘度基油の両方の品質を高めて、価値がより高い高品質潤滑剤にすることが可能である；前記の低粘度基油と高粘度基油の両方は、さもなければ、分解されるか又は価値のより低い輸送用燃料の中に混合されるであろう。
【００１２】
本発明の方法を用いて調製される、フィッシャー・トロプシュ法によって得られる諸基油混合物は、ユニークであり、しかも、従来技術において開示されている慣用的な潤滑基油とフィッシャー・トロプシュ法によって得られる潤滑基油の両方からそれら混合物を区別するのに用いることのできる幾つかの仕様（ｓｐｅｃｉｆｉｃａｔｉｏｎｓ）を示す。例えば、本発明に従って調製される潤滑基油混合物は、約１２より大きいＴＧＡノアック揮発度を有し、更に一般的には、約２０を超えるＴＧＡノアック揮発度を有する。それら混合物はまた、典型的には、約１３０〜約１７５の粘度指数を示し、しかも、非常に低い全イオウ含有量、通常約５ｐｐｍ未満を有する。加えて、本発明の潤滑基油組成物は、独特の沸点範囲分布を示す。
【００１３】
本発明に従って調製される潤滑基油の沸点範囲分布の特徴は、幾分、その混合物中で用いられる第２の留分の粘度によって決まる。例えば、該混合物を調製するのに用いられる第２の留分が、１００℃で約７〜約１２ｃＳｔの範囲内の粘度を有する場合、フィッシャー・トロプシュ法によって得られる潤滑基油は、約５５０°Ｆ（２８８℃）〜約６２５°Ｆ（３２９℃）の範囲内の初留点と、約１０００°Ｆ（５３８℃）〜約１４００°Ｆ（７６０℃）の最終沸点とを有し；その場合、該混合物の２０重量％未満は、５０％沸点±２５°Ｆによって規定される領域内で沸騰する。この場合、該混合物は、５％点〜９５％点の間で少なくとも３５０°Ｆ（１９４℃）［通常、少なくとも４００°Ｆ（２２２℃）］の沸点範囲分布を有する。該混合物を調製するのに用いられる第２の留分が、１００℃で約３．８〜約８．５ｃＳｔの範囲内の粘度を有する場合、フィッシャー・トロプシュ法によって得られる潤滑基油は典型的には、５％点〜９５％点の間で少なくとも３００°Ｆ（１６７℃）の沸点範囲分布を有する。この開示における沸点範囲分布は全て、別に明記しない限り、標準分析方法Ｄ−６３５２又はそれと同等のものを使用して測定されている。本明細書で使用する、Ｄ−６３５２と同等の分析方法とは、実質的に該標準方法と同一の結果を与えるあらゆる分析方法をいう。
【００１４】
本発明に従って調製される、フィッシャー・トロプシュ法によって得られる潤滑基油は、従来法で得られる潤滑基油（例えば、従来の中性の群Ｉ及び群ＩＩ（Ｎｅｕｔｒａｌ  Ｇｒｏｕｐ  Ｉ  ａｎｄ  Ｇｒｏｕｐ  ＩＩ）の潤滑基油）と混合することができる。フィッシャー・トロプシュ法によって得られる潤滑基油を、従来の中性の群Ｉ又は群ＩＩの基油と混合する場合、従来の基油は典型的には、全混合物の約４０重量％〜約９０重量％を構成し、約４０重量％〜約７０重量％が好ましい。完成潤滑剤（ｆｉｎｉｓｈｅｄ  ｌｕｂｒｉｃａｎｔ）［例えば、市販のマルチグレードのクランク室用潤滑油であって、米国自動車技術者協会（ＳＡＥ）Ｊ３００（２００１年６月）仕様を満たす該潤滑油］は、適切な添加剤を添加することによって、本発明の潤滑基油混合物から調製することができる。完成潤滑剤を調製する場合の、潤滑基油混合物に添加される典型的な添加剤には、耐磨耗性添加剤、洗浄剤、分散剤、酸化防止剤、流動点降下剤、粘度指数改良剤、摩擦調整剤（ｆｒｉｃｔｉｏｎ  ｍｏｄｉｆｉｅｒ）、乳化破壊剤、消泡剤、腐食抑制剤、シール膨張剤（ｓｅａｌ  ｓｗｅｌｌ  ａｇｅｎｔｓ）、等が包含される。加えて、ギア潤滑油（ｇｅａｒ  ｌｕｂｒｉｃａｎｔｓ）のためのＳＡＥ基準と、産業油のための国際標準化機構（ＩＳＯ）粘度グレード基準とを満たす市販の製品は、本発明の、フィッシャー・トロプシュ法によって得られる潤滑基油から調製することができる。
【００１５】
（発明の詳細な記述）
ＴＧＡノアック法及び類似の方法によって測定される、エンジンオイルのノアック（Ｎｏａｃｋ）揮発度は、乗用車エンジンのオイル消費量と相関することが見出された。低揮発性に関する厳しい規定は、最近の幾つかのエンジンオイル仕様［例えば、欧州における欧州自動車工業会（ＡＣＥＡ）のＡ−３及びＢ−３、並びに北米における国際潤滑油標準化委員会（ＩＬＳＡＣ）のＧＦ−３］の重要な特徴である。１００℃で３ｃＳｔ未満の動粘性率を有する従来の低粘性油は、高揮発性であるため、それら低粘性油を乗用車のエンジンオイルに用いることは制限されている。乗用車のエンジンオイルに用いるために開発される、新たな潤滑基油原料油の如何なるものも、現行の従来型群Ｉ又は群ＩＩの軽質中性油（Ｌｉｇｈｔ  Ｎｅｕｔｒａｌ  ｏｉｌｓ）以下の揮発度を有するのが望ましい。
【００１６】
フィッシャー・トロプシュ・ワックスプロセスによると典型的には、比較的大きい割合の、低分子量で低粘度の生成物であって、軽質生成物（例えば、ナフサ、ガソリン、ディーゼル油、燃料油又は灯油）に処理される該生成物が製造される。比較的小さい割合の生成物は、３．０ｃＳｔより大きい粘度を有しており、（エンジンオイルを包含する）多数の異なる生成物のための潤滑基油として直接有用である。２．１〜２．８ｃＳｔの粘度を有するこれら潤滑基油は典型的には、経済的価値の高いものにするため、更に処理して、いっそう軽い生成物（例えば、ガソリン又はディーゼル油）にする。代替的に、フィッシャー・トロプシュ法によって得られるこれら低粘度基油は、産業用軽質油［例えば、ユーティリティ油（ｕｔｉｌｉｔｙ  ｏｉｌｓ）、トランス油、ポンプ作動液、又は作動油］に入れて用いることができる；それら産業用軽質油の多くは揮発性に関する規定があまり厳しくなく、また、それら産業用軽質油の全てはエンジンオイルに比べて要求内容が遥かに低い。
【００１７】
エンジンオイルに入れて用いる潤滑基油は、軽質生成物に入れて用いる潤滑基油に比べて要求内容がいっそう高い。エンジンオイルのための潤滑基油混合物の中で、フィッシャー・トロプシュ法による生成物をいっそう高い割合で用いる能力は、非常に望ましい。本発明によると、フィッシャー・トロプシュ法によって得られる潤滑基油であって低粘度を有することを特徴とする該潤滑基油は、フィッシャー・トロプシュ法による留分であって中程度の粘度又は高い粘度を有する該留分と混合されて、エンジンオイルを造るための潤滑基油として有用な組成物を生成する。本発明の潤滑基油の原料油は、揮発性及び粘性が、従来型の群Ｉ及び群ＩＩの中性油（Ｎｅｕｔｒａｌ  ｏｉｌｓ）に匹敵している。加えて、本発明の潤滑基油はまた、他の改善された諸特性（例えば、イオウが非常に少ないこと、及び酸化安定性が抜群であること）をも有している。
【００１８】
（フィッシャー・トロプシュ合成）
フィッシャー・トロプシュ合成を行う間、液体状及び気体状の炭化水素は、適切な温度と圧力との反応条件下、水素と一酸化炭素の混合物を含有する合成ガスをフィッシャー・トロプシュ触媒と接触させることによって形成される。該フィッシャー・トロプシュ反応は典型的には、約３００°Ｆ〜約７００°Ｆ（約１５０℃〜約３７０℃）、好ましくは約４００°Ｆ〜約５５０°Ｆ（約２０５℃〜約２９０℃）の温度；約１０〜約６００ｐｓｉａ（０．７〜４１バール）、好ましくは３０〜３００ｐｓｉａ（２〜２１バール）の圧力；及び、約１００〜約１００００ｃｃ／ｇ／時間、好ましくは３００〜３０００ｃｃ／ｇ／時間の触媒空間速度；で行う。
【００１９】
フィッシャー・トロプシュ合成による生成物は、Ｃ１〜Ｃ２００以上の範囲に及ぶ炭化水素であり、大部分はＣ５〜Ｃ１００以上の範囲に及ぶことがある。その反応は、例えば、１種以上の触媒床を備えた固定床反応器、スラリー反応器、流動床反応器、又は異なるタイプの諸反応器の組み合せのような種々のタイプの反応器で行うことができる。そのような反応の方法と反応器とは、周知であり、文献で実証されている。スラリーによるフィッシャー・トロプシュ法は、本発明を実施する上で好ましく、コバルト触媒を用いた場合、激しい発熱合成反応のための優れた熱（及び質量）伝達特性を利用して、比較的大きい分子量のパラフィン系炭化水素を製造することができる。スラリー法において、水素と一酸化炭素の混合物を含有する合成ガスは第３の相として、フィッシャー・トロプシュ型炭化水素合成用の粒子状触媒であって、反応条件下では液体である合成反応の炭化水素生成物を含有しているスラリー液の中に分散され且つ懸濁されている該粒子状触媒を含有しているスラリーを通して泡立たせる。［水素］対［一酸化炭素］のモル比は、約０．５から約４まで広範囲に及ぶことがあるが、より典型的には約０．７〜約２．７５、好ましくは約０．７〜約２．５の範囲内である。とりわけ好ましいフィッシャー・トロプシュ法は、欧州特許出願第０６０９０７９号明細書に教示されている。この欧州特許出願明細書はまた、言及することによって、あらゆる目的のために本明細書に完全に組み入れる。
【００２０】
適切なフィッシャー・トロプシュ合成用触媒には、１種以上のＶＩＩＩ族触媒金属（例えば、Ｆｅ、Ｎｉ、Ｃｏ、Ｒｕ及びＲｅ）が包含され、コバルトが好ましい。加えて、適切な触媒は、助触媒（ｐｒｏｍｏｔｅｒ）を含有することができる。従って、好ましいフィッシャー・トロプシュ合成用触媒は、適切な無機担体材料（好ましくは、１種以上の耐火金属酸化物を含有するもの）に担持されている、有効量のコバルトとＲｅ、Ｒｕ、Ｐｔ、Ｆｅ、Ｎｉ、Ｔｈ、Ｚｒ、Ｈｆ、Ｕ、Ｍｇ及びＬａの１種以上とを含有している。該触媒中に存在するコバルトの量は一般に、全触媒組成物の約１〜約５０重量％である。それら触媒はまた、塩基性酸化物助触媒（例えば、ＴｈＯ２、Ｌａ２Ｏ３、ＭｇＯ及びＴｉＯ２）、助触媒（例えば、ＺｒＯ２）、貴金属（Ｐｔ、Ｐｄ、Ｒｕ、Ｒｈ、Ｏｓ、Ｉｒ）、貨幣金属（Ｃｕ、Ａｇ、Ａｕ）、並びに他の遷移金属（例えば、Ｆｅ、Ｍｎ、Ｎｉ及びＲｅ）をも含有することができる。適切な担体材料には、アルミナ、シリカ、マグネシア及びチタニア、又はそれらの混合物が包含される。コバルトを包含する諸触媒のための好ましい担体は、チタニアである。有用な触媒及びそれらの製法は、既知であり、米国特許第４，５６８，６６３号明細書に例示されている。このことは、例証することを意図しているものの、触媒の選定に関し制限するものではない。
【００２１】
フィッシャー・トロプシュ法によって得られ、基油を造るのに用いられる生成物は通常、フィッシャー・トロプシュ法による合成石油の含ワックス留分から、水素化処理又は水素異性化を行うことによって造る。それら基油を造るのに用いることのできる他の方法には、オリゴマー化、溶剤脱ワックス（ｓｏｌｖｅｎｔ  ｄｅｗａｘｉｎｇ）、常圧蒸留及び真空蒸留、水素化分解、ハイドロフィニッシング（ｈｙｄｒｏｆｉｎｉｓｈｉｎｇ）、及び他の形態の水素化法が包含される。
【００２２】
（水素異性化及び溶剤脱ワックス）
水素異性化（又は、この開示の目的では単に「異性化」）は、分子構造の中に枝分かれを選択的に付加することによって、フィッシャー・トロプシュ法によって得られる生成物の低温流動特性を改善することを意図している。異性化は理想的には、フィッシャー・トロプシュ法によって得られるワックスの、非ワックス・イソパラフィンへの高い転化レベルを達成し、同時に、クラッキングによる転化を最小限に抑える。ワックスの転化は、完全であるか又は少なくとも非常に高いので、この方法は典型的には、容認可能な流動点を有する潤滑基油原料油を造るための追加の脱ワックス法と組み合せる必要はない。本発明と共に用いるのに適した異性化操作は典型的には、酸性成分を含有する触媒を用い、また、任意的に、水素化活性を有する活性金属成分を含有することがある。それら触媒の酸性成分は、中間細孔の（ｉｎｔｅｒｍｅｄｉａｔｅ  ｐｏｒｅ）ＳＡＰＯ（例えば、ＳＡＰＯ−１１、ＳＡＰＯ−３１、及びＳＡＰＯ−４１）を含有するのが好ましく、ＳＡＰＯ−１１がとりわけ好ましい。中間細孔のゼオライト（例えば、ＺＳＭ−２２、ＺＳＭ−２３、ＳＳＺ−３２、ＺＳＭ−３５、及びＺＳＭ−４８）もまた、異性化を実施するのに用いることができる。典型的な活性金属には、モリブデン、ニッケル、バナジウム、コバルト、タングステン、亜鉛、白金、及びパラジウムが包含される。金属の白金及びパラジウムは、活性金属としてとりわけ好ましく、白金は最も一般的に用いられる。
【００２３】
本明細書で用いる用語「中間孔径（ｉｎｔｅｒｍｅｄｉａｔｅ  ｐｏｒｅ  ｓｉｚｅ）」とは、多孔質無機酸化物がか焼済み形態である場合の、約５．３〜約６．５Åの範囲の有効細孔をいう。この範囲の細孔を有している分子篩は、独特の分子篩特性を有する傾向がある。小さい細孔のゼオライト［例えば、エリオナイト（ｅｒｉｏｎｉｔｅ）、及びリョウ沸石（ｃｈａｂａｚｉｔｅ；菱沸石）］と異なり、それら分子篩は、ある枝分かれを有する炭化水素が該分子篩の空間の中に入るのを可能にする。より大きい細孔のゼオライト［例えば、フォージャサイト（ｆａｕｊａｓｉｔｅｓ；フォージャ沸石）、及びモルデン沸石（ｍｏｒｄｅｎｉｔｅｓ）］と異なり、それら分子篩は、ｎ−アルカンと、僅かに枝分かれしているアルケンと、いっそう大きいアルカン（例えば、第四級炭素原子を有するもの）との間を区別することができる。米国特許第５，４１３，６９５号明細書を参照。用語「ＳＡＰＯ」とは、シリコアルミノフォスフェート（ｓｉｌｉｃｏａｌｕｍｉｎｏｐｈｏｓｐｈａｔｅ）分子篩（例えば、米国特許第４，４４０，８７１号及び同第５，２０８，００５号明細書に記載されているもの）をいう。
【００２４】
非ゼオライト系分子篩を含有し、水素化成分を有しているそれら触媒を造る場合、非水性法を用いて、触媒上に金属を堆積させることが通常は好ましい。非ゼオライト系分子篩には、四面体状に配位結合した［ＡｌＯ２及びＰＯ２］酸化物ユニット（ｏｘｉｄｅ  ｕｎｉｔｓ）であって、任意的にシリカを含有することがある該酸化物ユニットが包含される。米国特許第５，５１４，３６２号明細書を参照。非ゼオライト系分子篩を含有する触媒（とりわけ、ＳＡＰＯ’ｓを含有する触媒）であって、その上に金属が非水性法を用いて堆積されている該触媒は、水性法を用いて活性金属が堆積されているそれら触媒と比べて、より大きい選択性と活性とを示した。非ゼオライト系分子篩上に活性金属を非水性法で堆積することは、米国特許第５，９３９，３４９号明細書に教示されている。一般的にその方法には、活性金属の化合物を非水性非反応性溶媒に溶解し；次いで、イオン交換又は含浸を行うことによって分子篩上にそれを堆積する；ことが包含される。
【００２５】
生成物からワックス分子を除去するために、溶剤脱ワックスを試みる。その除去は、「石油の化学技術（Ｃｈｅｍｉｃａｌ  Ｔｅｃｈｎｏｌｏｇｙ  ｏｆ  Ｐｅｔｒｏｌｅｕｍ），第３版，ウィリアム・グルース（Ｗｉｌｌｉａｍ  Ｇｒｕｓｅ）及びドナルド・スチーブンス（Ｄｏｎａｌｄ  Ｓｔｅｖｅｎｓ），ニューヨーク，マグロウヒル・ブック社（ＭｃＧｒａｗ−Ｈｉｌｌ  Ｂｏｏｋ  Ｃｏｍｐａｎｙ，  Ｉｎｃ．），第５６６頁〜５７０頁（１９６０）」に解説されているように、それらを溶剤（例えば、メチルエチルケトン、メチルイソブチルケトン、又はトルエン）の中に溶解して、ワックス分子を沈降させ；次いで、濾過を行うことによりそれらワックス分子を除去する；ことによって行う。概して、本発明に関する異性化は、溶剤脱ワックスよりも通常好ましい。なぜなら、それによって、低温特性が改善されている、より高い粘度指数を持つ生成物が得られ、しかも、第１の留分と第２の留分の範囲内で沸騰する生成物がいっそう高い収率で得られるからである。しかし、溶剤脱ワックスは、都合よく異性化と組み合せて使用して、異性化の後の未転化ワックスを回収することができる。
【００２６】
（水素化処理、水素化分解、及びハイドロフィニッシング）
水素化処理（ｈｙｄｒｏｔｒｅａｔｉｎｇ）とは、通常、遊離水素の存在下で行われる触媒プロセスであって、それの主要目的が、供給原料から種々の金属汚染物質（例えば、ヒ素）；ヘテロ原子（例えば、イオウ及び窒素）；又は芳香族炭化水素；を除去することである該触媒プロセスをいう。一般に、水素化処理操作において、炭化水素分子の分解、即ち、より大きい炭化水素分子のより小さい炭化水素分子への分解は、最小限に抑えられ、また、不飽和炭化水素は、完全に又は部分的に水素化される。
水素化分解（ｈｙｄｒｏｃｒａｃｋｉｎｇ）とは、通常、遊離水素の存在下で行われる触媒プロセスであって、より大きい炭化水素分子の分解がそれの操作の主要目的である該触媒プロセスをいう。供給原料の脱硫及び（又は）脱窒もまた、通常生じる。本発明における炭化水素分子の分解は通常、望ましくない。なぜなら、本発明は、フィッシャー・トロプシュ法によって得られる合成石油のより重質の留分に相当する潤滑基油の収率を増大させるための方法として意図されているからである。従って、水素化分解の操作は通常、最も重質の底部材料を分解することに限定される。
【００２７】
水素化処理及び水素化分解の操作を実施するのに用いる触媒は、当業界では周知である。例えば、米国特許第４，３４７，１２１号及び同第４，８１０，３５７号明細書を参照。それら米国特許明細書の内容は、言及することによって、水素化処理；水素化分解；及び、それらプロセスの各々において用いられる典型的な触媒；に関する一般的記述を行うために、そっくりそのまま本明細書に組み入れる。適切な触媒には、（国際純正応用化学連合の１９７５年規定による）ＶＩＩＩＡ族（例えば、アルミナ又はシリカ含有マトリックスに担持されている白金又はパラジウム）からの貴金属；並びに、ＶＩＩＩ族及びＶＩＢ族（例えば、アルミナ又はシリカ含有マトリックスに担持されているニッケル−モリブデン、若しくはニッケル−スズ）；が包含される。米国特許第３，８５２，２０７号明細書は、適切な貴金属触媒と穏かな条件とを記載している。他の適切な触媒は、例えば、米国特許第４，１５７，２９４号及び同第３，９０４，５１３号明細書に記載されている。水素化用の非貴金属（例えば、ニッケル−モリブデン）は通常、最終触媒組成物の中に酸化物として存在しているが、通常、それらの還元形；又は、それらの硫化物化合物が、関与する特定金属から容易に形成される場合の硫化物形態；で用いられる。好ましい非貴金属触媒組成物は、モリブデン及び（又は）タングステン約５重量％以上、好ましくは約５〜約４０重量％と、対応する酸化物として決定されるニッケル及び（又は）コバルト少なくとも約０．５重量％、通常は約１〜約１５重量％とを含有する。貴金属（例えば、白金）を含有する触媒は、金属０．０１％以上、好ましくは金属０．１〜１．０％を含有する。複数の貴金属の組み合せ（例えば、白金とパラジウムの混合物）もまた用いることができる。
【００２８】
水素化成分は、多くの手順のいずれか１つによって、全触媒組成物の中に組み入れることができる。それら水素化成分は、共粉砕（ｃｏ−ｍｕｌｌｉｎｇ）、含浸又はイオン交換によってマトリックス成分に添加することができ、また、ＶＩ族成分（即ち、モリブデン及びタングステン）は、含浸、共粉砕又は共沈によって耐火性酸化物と合体させることができる。
【００２９】
マトリックス成分は、酸性触媒活性を有する幾種類かを包含する多くのタイプのものである場合がある。活性を有するものには、非晶質シリカ−アルミナ；又は、ゼオライト系若しくは非ゼオライト系結晶性分子篩；が包含される。適切なマトリックス分子篩の例には、ゼオライトＹ；ゼオライトＸ；並びに、いわゆる超安定ゼオライトＹ；並びに、高い［シリカ：アルミナ］構造比のゼオライトＹ（例えば、米国特許第４，４０１，５５６号、同第４，８２０，４０２号及び同第５，０５９，５６７号明細書に記載されているもの）；が包含される。小さい結晶寸法のゼオライトＹ（例えば、米国特許第５，０７３，５３０号明細書に記載されているもの）もまた用いることができる。用いることのできる非ゼオライト系分子篩には、例えば、シリコアルミノフォスフェート（ＳＡＰＯ）分子篩；フェロアルミノフォスフェート（ｆｅｒｒｏａｌｕｍｉｎｏｐｈｏｓｐｈａｔｅ）分子篩；チタニウムアルミノフォスフェート（ｔｉｔａｎｉｕｍａｌｕｍｉｎｏｐｈｏｓｐｈａｔｅ）分子篩；並びに、米国特許第４，９１３，７９９号明細書及びその中で引用されている諸文献に記載されている種々のＥＬＡＰＯ分子篩；が包含される。種々の非ゼオライト系分子篩の製法に関する詳細は、米国特許第５，１１４，５６３号（ＳＡＰＯ）及び同第４，９１３，７９９号明細書；並びに、米国特許第４，９１３，７９９号明細書の中で引用されている種々の文献；の中に見出すことができる。メソ細孔性（ｍｅｓｏｐｏｒｏｕｓ）分子篩［例えば、Ｊ．Ａｍ．Ｃｈｅｍ．Ｓｏｃ．，１１４，第１０８３４頁〜１０８４３頁（１９９２）に記載されているＭ４１Ｓグループの材料；米国特許第５，２４６，６８９号、同第５，１９８，２０３号及び同第５，３３４，３６８号明細書のＭＣＭ−４１；並びに、ＭＣＭ−４８（クレスギ（Ｋｒｅｓｇｅ）等：Ｎａｔｕｒｅ，３５９，第７１０頁（１９９２））］もまた用いることができる。適切なマトリックス材料には、合成物質又は天然物質だけでなく無機材料、例えば、粘土、シリカ並びに／又は金属酸化物［例えば、シリカ−アルミナ、シリカ−マグネシア、シリカ−ジルコニア、シリカ−トリア（ｔｈｏｒｉａ）、シリカ−ベリリア（ｂｅｒｙｌｉａ）、シリカ−チタニアだけでなく三元組成物（例えば、シリカ−アルミナ−トリア、シリカ−アルミナ−ジルコニア、シリカ−アルミナ−マグネシア、及びシリカ−マグネシア−ジルコニア）］、も包含されることがある。後者は、天然に存在しているか；又は、シリカと金属酸化物の混合物を包含する、ゼラチン状の沈降物若しくはゲルの形態である；場合がある。天然に存在している粘土であって、触媒と一緒に合成することのできる該粘土には、モンモリロナイト及びカオリン類のものが包含される。これらの粘土は、当初採掘した生の状態で用いるか；又は、初期に脱アルミニウム、酸処理又は化学修飾（ｃｈｅｍｉｃａｌ  ｍｏｄｉｆｉｃａｔｉｏｎ）を行う；ことができる。
【００３０】
水素化分解及び（又は）水素化処理の操作を行う場合、反応器内で２種以上の触媒を用いることができる。異なる種類の触媒は、複数の層に分離するか；又は混合する；ことができる。
水素化分解条件は、文献に詳しく記録されている。全体の液空間速度（ＬＨＳＶ）は通常、約０．１時間−１〜約１５．０時間−１（体積／体積）、好ましくは約０．２５時間−１〜約２．５時間−１である。反応圧力は通常、約５００ｐｓｉａ〜約３５００ｐｓｉａ（約１０．４ＭＰａ〜約２４．２ＭＰａ）、好ましくは約１５００ｐｓｉａ〜約５０００ｐｓｉａ（約３．５ＭＰａ〜約３４．５ＭＰａ）の範囲に及ぶ。水素消費量は典型的には、約５００〜約２５００ＳＣＦ／供給原料１バレル（８９．１〜４４５ｍ３Ｈ２／供給原料量１ｍ３）である。反応器内の温度は、約４００°Ｆ〜約９５０°Ｆ（約２０４℃〜約５１０℃）、好ましくは約６５０°Ｆ〜約８５０°Ｆ（約３４３℃〜約４５４℃）の範囲に及ぶ。
【００３１】
典型的な水素化処理条件は、広範囲に渡って変わる。全体の液空間速度は通常、約０．２５〜２．０、好ましくは約０．５〜１．０である。水素分圧は、２００ｐｓｉａより大きく、好ましくは約５００ｐｓｉａ〜約２０００ｐｓｉａの範囲に及ぶ。水素の再循環比は、典型的には５０ＳＣＦ／Ｂｂｌより大きく、好ましくは１０００〜５０００ＳＣＦ／Ｂｂｌである。反応器内の温度は、約３００°Ｆ〜約７５０°Ｆ（約１５０℃〜約４００℃）、好ましくは４５０°Ｆ〜６００°Ｆ（２３０℃〜約３１５℃）の範囲に及ぶ。
【００３２】
水素化処理はまた、潤滑基油製造プロセスの最終工程として使用することもできる。この最終工程は、一般にハイドロフィニッシング（ｈｙｄｒｏｆｉｎｉｓｈｉｎｇ）と称され、微量の芳香族炭化水素、オレフィン、着色体（ｃｏｌｏｒ  ｂｏｄｉｅｓ）、及び溶剤を除去することによって、生成物の紫外線安定性及び外観を改善することを意図している。この明細で使用する用語「紫外線安定性（ＵＶ  ｓｔａｂｉｌｉｔｙ）」とは、紫外線及び酸素にさらされたときの、潤滑基油又は完成潤滑剤の安定性をいう。不安定性は、可視沈降物が形成されるときに示され、通常、フロック（ｆｌｏｃ；綿状沈澱物）若しくは曇りのように見えるか；或いは、紫外線若しくは空気にさらされると、いっそう黒ずんだ色になる。ハイドロフィニッシングに関する一般的記述は、米国特許第３，８５２，２０７号及び同第４，６７３，４８７号明細書に見出すことができる。この不純物を除去するための粘土処理は、代替的な最終工程段階である。
【００３３】
（オリゴマー化）
フィッシャー・トロプシュ合成を実施する方法によって決まるが、フィッシャー・トロプシュ法によって得られる生成物は、変動する量のオレフィンを含有している。加えて、フィッシャー・トロプシュ法によって得られる大抵の凝縮物は、脱水によってオレフィンに容易に転化することのできる幾らかのアルコールを含有している。これらのオレフィンは、既に解説した水素化処理又はハイドロフィニッシングのプロセスを行う間、水素化してアルカンを形成することができる。しかし、ある場合、例えば、低分子量のオレフィンが供給原料のかなりの割合を構成している場合、それらオレフィンのオリゴマー化を行って平均分子量のより高い炭化水素を造ることが好都合であることがある。オリゴマー化を行う間、より軽質のオレフィンは、より重質の生成物に転化されるだけでなく、それらオリゴマーの炭素主鎖はまた、分子量付加が行われる間際に枝分かれをも示す。分子に枝分かれが導入されることに起因して、生成物の流動点は低下する。
【００３４】
オレフィンのオリゴマー化は、文献に詳しく記載されており、多くの商業的方法を利用することができる。例えば、米国特許第４，４１７，０８８号；同第４，４３４，３０８号；同第４，８２７，０６４号；同第４，８２７，０７３号；及び同第４，９９０，７０９号明細書を参照。種々のタイプの反応器構造を用いることができ、商業的には固定化触媒床反応器が用いられる。より最近では、イオン性液体媒体中でオリゴマー化を行うことが報告されている。なぜなら、これらの触媒は非常に活性であり、また、触媒と反応物の間の接触が効率的であり、しかも、オリゴマー化による生成物から触媒を分離することが容易であるからである。オリゴマー化生成物は、当初の供給原料よりも少なくとも１０％高い（より好ましくは、少なくとも２０％高い）平均分子量を有するのが好ましい。オリゴマー化反応は、広範囲に渡る条件で進行する。該反応を実施するための典型的な温度は、約３２°Ｆ（０℃）〜約８００°Ｆ（４２５℃）の間である。他の条件には、０．１〜３の液空間速度（ＬＨＳＶ）と、０〜２０００ｐｓｉｇの圧力とが包含される。オリゴマー化反応のための触媒は、酸性材料であれば実質的に如何なるもの［例えば、ゼオライト、粘土、樹脂、ＢＦ３錯体、ＨＦ、Ｈ２ＳＯ４、ＡｌＣｌ３、イオン性液体（好ましくは、ブレンステッド酸成分若しくはルイス酸成分、又はブレンステッド酸成分とルイス酸成分の組み合せを含有するイオン性液体）、遷移金属ベース触媒（例えば、Ｃｒ／ＳｉＯ２）、超酸、等］でもよい。加えて、ある種の有機金属オリゴマー化触媒又は遷移金属オリゴマー化触媒を包含する非酸性オリゴマー化触媒［例えば、ジルコノセン（ｚｉｒｃｏｎｏｃｅｎｅｓ）］を用いることができる。
【００３５】
（蒸留）
フィッシャー・トロプシュ法によって得られる生成物を、本発明の方法において用いる種々の留分に分離することは通常、常圧蒸留若しくは真空蒸留のどちらか一方；又は、常圧蒸留及び真空蒸留の組み合せ；によって行う。常圧蒸留は典型的には、約７００°Ｆより高く約７５０°Ｆまでの（約３７０℃より高く約４００℃までの）初留点を有する底留分から、いっそう軽質の留分（例えば、ナフサ及び中間油留分）を分離するのに使用する。いっそう高い温度でそれら炭化水素が熱分解されると、装置の汚れを引き起こしたり、いっそう重質の留分の収率がより低くなることがある。真空蒸留は典型的には、いっそう高い沸点の物質（例えば、潤滑基油留分）を分離するのに使用する。
この開示で用いる用語「留分（ｄｉｓｔｉｌｌａｔｅ  ｆｒａｃｔｉｏｎ）」又は「留出物（ｄｉｓｔｉｌｌａｔｅ）」とは、常圧分留塔；又は、「底部（ｂｏｔｔｏｍｓ）」と向かい合っている真空塔；のどちらか一方から回収される側留生成物（ｓｉｄｅ  ｓｔｒｅａｍ  ｐｒｏｄｕｃｔ）であって、該塔の底部から回収されるいっそう高い沸点の残油留分に相当する該側留生成物をいう。
【００３６】
（第１の留分及び第２の留分）
本発明の潤滑基油生成物を造るのに用いる第１の留分と第２の留分の両方は、上記に規定する、フィッシャー・トロプシュ法によって得られる生成物の留分に相当する。目標の特性（主として、粘性及び揮発性）が達成されるという条件で、最終混合物には、第１の留分及び第２の留分の他に追加の留分をも添加することができることを当業者は理解するであろう。本発明を実施するのに用いられる諸留分は、それの真沸点（ＴＢＰ）とそれらの沸点範囲分布とによって特徴付けられることがある。この開示の目的のために、他に明記しない限り、留分の真沸点及び沸点範囲分布は、ＡＳＴＭ  Ｄ−６３５２又はそれと同等のものに従って、ガスクロマトグラフィーによって測定される。
【００３７】
本発明の留分の重要な特性は、粘性である。第１の留分は、１００℃で約２ｃＳｔ以上であるが３ｃＳｔ未満、より好ましくは１００℃で約２．１〜２．８ｃＳｔ、最も好ましくは１００℃で約２．２〜２．７ｃＳｔの粘度を有していなければならない。第２の留分は、１００℃で約３．８ｃＳｔ以上、より好ましくは１００℃で約３．８ｃＳｔ〜約１２ｃＳｔの粘度によって特徴付けられる。第２の留分は実際に、種々の粘度範囲によって定義される幾つかの異なるカテゴリーの１つに分類される。第１のカテゴリーは、１００℃で約３．８ｃＳｔ〜約８ｃＳｔの粘度範囲、より好ましくは１００℃で約３．８ｃＳｔ〜約５ｃＳｔの粘度範囲又はその代わりに１００℃で約５．８ｃＳｔ〜６．６ｃＳｔの粘度範囲を有している。第２のカテゴリーは、１００℃で約８ｃＳｔより大きく約１０ｃＳｔまでの範囲内にある粘度を有している。第３のカテゴリーは、１００℃で約１０ｃＳｔより大きく約１２ｃＳｔまでの範囲内にある粘度を有している。１００℃で３ｃＳｔより大きいが３．８ｃＳｔ未満の粘度を有する留分のもので混合することは望ましくない。なぜなら、最終生成物の粘度が目標（即ち、混合物の粘度が１００℃で少なくとも３ｃＳｔ）を下回ると思われるからである。必然的にそのような混合物は、本発明の範囲外である。
【００３８】
１００℃で３．８ｃＳｔより大きい粘度を有することを特徴とする１種以上の留分であって第２の留分と称される該留分は、混合物の目標粘度範囲を維持しつつ、潤滑基油の中に混合することができるということを、当業者は理解するであろう。例えば、フィッシャー・トロプシュ法によって得られる容認可能な潤滑基油は、軽質の第１の留分を、２種の異なる留分であって各々が１００℃で約３．８〜約１２ｃＳｔの異なる粘度を有する該留分と混合することによって調製することができる。この場合、便宜上、第２の留分と称される２種の留分のより軽質のものは、１００℃で約３．８〜約５ｃＳｔの粘度を有することがある。フィッシャー・トロプシュ法によって得られる第３の留分と称される他の留分は、通常１００℃で約６〜約１２ｃＳｔのより高い粘度を有する。混合物中における種々の留分の割合は明らかに、潤滑基油の所望の目標粘度を満たすように調整する必要がある。最終混合物中におけるそれら留分の各々の精確な比は、各々の留分の精確な粘度と、該潤滑基油に望まれる目標粘度とによって決まる。３．８ｃＳｔ以上を有する３種又は更に多くの留分を第１の留分と混合して、潤滑基油を調製することも可能である。そのような混合物は、本発明の範囲に包含されるように意図されている。
【００３９】
本発明に関する留分及び潤滑基油生成物のもう１つの重要な特性は、ノアック揮発度（Ｎｏａｃｋ  ｖｏｌａｔｉｌｉｔｙ）で表される揮発度である。ノアック揮発度は、試験るつぼであってそれを通して一定流量の空気が６０分間取り出される該るつぼの中で、２５０℃で、大気圧よりも２０ｍｍＨｇ（２．６７ｋＰａ；２６．７ミリバール）低い圧力で油が加熱されるときに失われる、重量％で表される該油の質量として定義される（ＡＳＴＭ  Ｄ−５８００）。ノアック揮発度を計算するためのより便利な方法であって、ＡＳＴＭ  Ｄ−５８００とよい相関関係にある該方法は、ＡＳＴＭ  Ｄ−６３７５による熱重量分析装置試験（ＴＧＡ）を用いることによって行う。ＴＧＡノアック揮発度は、別に明記しない限り、この開示の全体に渡って用いる。既に上で述べたように、１００℃で３ｃＳｔ未満の粘度を有する、本発明の第１の留分は、従来の石油から得られる留分であって類似する粘度を有する該留分と比べたとき、予想されるＴＧＡノアック揮発度よりもかなり低い揮発度を示す。このことによって、低い粘度の第１の留分をより高い粘度の第２の留分と混合し；更に、潤滑基油及び完成潤滑剤のための揮発度仕様を満たす；ことが可能となる。
【００４０】
（潤滑基油）
潤滑基油は概して、１００℃で３ｃＳｔより大きい粘度；２０℃未満、好ましくは０℃未満の流動点；及び、７０より高い、好ましくは９０より高い粘度指数（ＶＩ）；を有する材料である。以下に説明し、実施例において例示されるように、本発明の方法に従って調製される潤滑基油は、これらの基準を満たしている。加えて、本発明の潤滑基油は、従来の物質とフィッシャー・トロプシュ法によって得られる材料の両方に関する従来技術を再検討しても予測することができなかった、特性の独特の組み合せを示す。本発明は、軽質留分であって、より重質の留分と混合したとき、結果的に、潤滑基油として用いるための合格限界内にある粘度を有する最終混合物となる該軽質留分の高い粘度指数を利用している。
【００４１】
第１の留分と第２の留分を混合することによって形成される潤滑基油は、１００℃で約３〜約１０ｃＳｔの粘度と約３５重量％未満のＴＧＡノアック揮発度とによって特徴付けられる。該潤滑基油は通常、１００℃で約４ｃＳｔ〜５ｃＳｔの粘度と約１２重量％より大きいノアック揮発度とを有している。該ノアック揮発度は通常、約２０重量％より大きい。本発明の、フィッシャー・トロプシュ法によって得られる潤滑基油の揮発度は、容認することができ、しかも、従来の石油によって得られる潤滑基油に匹敵している。このことは、第１の留分が低粘度であることを考えれば、意外である。潤滑基油混合物の中に、石油から得られる類似の基油を用いても、許容されないほど大きいノアック揮発度が得られる結果となる。フィッシャー・トロプシュ法によって得られる潤滑基油の粘度指数（ＶＩ）は通常、約１３０〜約１７５となる。粘度指数は、粘度に及ぼす温度の影響を表現するものであり、また、１００℃で３ｃＳｔ未満の粘度を有する基油を用いて調製される潤滑基油が、そのような好都合な粘度指数によって特徴付けられるということは、意外である。フィッシャー・トロプシュ法によって得られる炭化水素は典型的には、全イオウが非常に低いので、該潤滑基油の全イオウ含有量は通常、約５ｐｐｍ未満である。従来得られた、溶剤処理による潤滑基油は通常、遥かに高い（普通は２０００ｐｐｍを超える）イオウレベルを示す。
【００４２】
１００℃で約３．８ｃＳｔ〜約８．５ｃＳｔの範囲に入る粘度を有する第２の留分を混合することによって調製された潤滑基油は通常、（ＡＳＴＭ  Ｄ−６３５２又はそれと同等のものによる）５％点〜９５％点の間で少なくとも約３００°Ｆ（１６７℃）の沸点範囲分布を有する。それに対して、１００℃で約７ｃＳｔ〜約１２ｃＳｔの粘度範囲に入る粘度を有する第２の留分から調製された潤滑基油は、（ＡＳＴＭ  Ｄ−６３５２又はそれと同等のものによる）５％点〜９５％点の間で少なくとも３５０°Ｆ（１６７℃）の沸点範囲分布を有する。５％点〜９５％点の間における、この混合物の沸点範囲分布は通常、少なくとも４００°Ｆ（約２２２℃）となる。加えて、混合物を調製するのに使用される第２の留分が、１００℃で約７ｃＳｔ〜約１２ｃＳｔの範囲内の粘度を有する場合、フィッシャー・トロプシュ法によって得られる潤滑基油は、約５５０°Ｆ〜約６２５°Ｆの範囲内の初留点と、約１０００°Ｆ〜約１４００°Ｆの範囲内の最終沸点（ｅｎｄ  ｂｏｉｌｉｎｇ  ｐｏｉｎｔ）とを有する。ここに、混合物の２０重量％未満は、５０％沸点±２５°Ｆによって定義される領域内で沸騰する。本発明の潤滑基油の沸点範囲分布は、従来の潤滑基油について観測されるものと比べて、著しく広い。従来法で得られる潤滑基油の沸点範囲分布は、約２５０°Ｆ（約２３９℃）を超えない。この開示において、沸点範囲分布に言及するとき、５％沸点〜９５％沸点の間の沸点範囲が言及されるものである。
【００４３】
流動点は、注意深く制御された条件の下、潤滑基油の試料が流動し始める温度である。この開示において、流動点が与えられる場合、別に明記しない限り、流動点は、標準分析方法ＡＳＴＭ  Ｄ−５９５０によって決定されている。本発明により調製した潤滑基油は、優れた流動点であって、従来法によって得られる潤滑基油について観測される流動点に類似するか又はそれより小さいこともある該流動点を有する。最終的に、フィッシャー・トロプシュ法によって得られる潤滑基油の混合物の芳香族炭化水素濃度と、複環状（ｍｕｌｔｉ−ｒｉｎｇ）ナフテン濃度とが非常に低いことに起因し、それら混合物の酸化安定性は、従来法で得られる潤滑基油混合物のものより遥かに優れている。
【００４４】
第１の留分及び第２の留分（及び任意的に第３の留分）を混合して潤滑基油を調製することに加えて、その潤滑基油組成物の中に、フィッシャー・トロプシュ法によって得られる底留分であって１００℃で約９ｃＳｔ〜約２０ｃＳｔ、より好ましくは約１０ｃＳｔ〜約１６ｃＳｔの粘度を有する該底留分を混合することができる。これら重質の底留分は、これらの測定値のための最小限仕様の範囲を超えて、粘度を低下させることも、ノアック揮発度を高めることも期待されていないようである。望ましい場合、従来の石油によって得られる基油（例えば、従来の中性の群Ｉ及び群ＩＩの基油）を該潤滑基油の中に混合することも可能である。フィッシャー・トロプシュ法によって得られる諸物質は、低温流れ特性が優れており、イオウ含有量が低く、しかも、酸化安定性が高いために、それら物質は、従来の基油の品質を向上させるための理想的な調合剤（ｂｌｅｎｄｉｎｇ  ｓｔｏｃｋ）となる。
【００４５】
（完成潤滑剤）
完成潤滑剤は通常、潤滑基油及び少なくとも１種の添加剤を含有する。完成潤滑剤は、自動車、ディーゼルエンジン、車軸、トランスミッション、及び諸産業用途で用いられる。上で述べたように、完成潤滑剤は、それらの意図されている用途のための仕様であって、関係する政府機関によって規定されている該仕様を満たさねばならない。本発明の潤滑基油は、これらの用途の多くのために意図されている完成潤滑剤を配合するのに適していることが分かった。本発明の潤滑基油は、例えば、５Ｗ−ＸＸ、１０Ｗ−ＸＸ、及び１５Ｗ−ＸＸのマルチグレイド（ｍｕｌｔｉ−ｇｒａｄｅ；広域の温度で粘性が安定した）クランク室用潤滑油のための米国自動車技術者協会（ＳＡＥ）Ｊ３００（２００１年６月）仕様を満たすように配合することができる。５Ｗ−ＸＸ及び１０Ｗ−ＸＸを満たすマルチグレイドのクランク室用オイルは、フィッシャー・トロプシュ法によって得られる潤滑基油であって本発明によって調製される該潤滑基油のみを用いて配合することができる。しかし、幾つかの１０Ｗ−ＸＸ及び大抵の１５Ｗ−ＸＸのための仕様を満たすためには、フィッシャー・トロプシュ法によって得られる潤滑基油は、石油から得られる従来の潤滑基油（例えば、従来の中性の群Ｉ又は群ＩＩの基油）と混合して、それら仕様を満たすようにしなければならない。従来の中性の群Ｉ又は群ＩＩの基油は、存在する場合、典型的には、潤滑基油混合物の約４０〜約９０重量％、より好ましくは約４０〜約７０重量％を構成する。更に、フィッシャー・トロプシュ法によって得られる本発明の潤滑基油を用いて、自動変速機油と国際標準化機構粘度グレード（ＩＳＯ  Ｖｉｓｃｏｓｉｔｙ  Ｇｒａｄｅ）２２、３２及び４６の工業油とのための仕様を満たす完成潤滑剤を配合することができる。
【００４６】
本発明の潤滑基油組成物は、他の油との混合用成分（ｂｌｅｎｄｉｎｇ  ｃｏｍｐｏｎｅｎｔ）として用いることもできる。例えば、フィッシャー・トロプシュ法によって得られる潤滑基油は、（ポリα−オレフィン、ジエステル、ポリオールエステル、又はリン酸エステルを包含する）合成基油との混合用成分として用いて、それら油の粘性及び粘度指数特性を改善することができる。フィッシャー・トロプシュ法によって得られる潤滑基油は、異性化石油ワックスと組み合せることができる。それら潤滑基油はまた、ワークオーバー流体（ｗｏｒｋｏｖｅｒ  ｆｌｕｉｄｓ）、パッカー流体（ｐａｃｋｅｒ  ｆｌｕｉｄｓ）、コアリング流体（ｃｏｒｉｎｇ  ｆｌｕｉｄｓ）、仕上げ流体（ｃｏｍｐｌｅｔｅ  ｆｌｕｉｄｓ）としても；また、他の油田用途及び井戸整備（ｗｅｌｌ−ｓｅｒｖｉｃｉｎｇ）用途においても；用いることができる。例えば、それら潤滑基油は、固着してしまった掘り管（ｄｒｉｌｌ  ｐｉｐｅ）を引き離すためのスポッティング流体（ｓｐｏｔｔｉｎｇ  ｆｌｕｉｄｓ）として用いることができ；或いは、それら潤滑基油は、ダウンホール用途における、高価なポリαオレフィン潤滑添加剤の一部若しくは全てに取って代わるために用いることができる。更に、フィッシャー・トロプシュ法によって得られる潤滑基油は、頁岩（ｓｈａｌｅ）の膨潤を抑制することが重要である場合に（例えば、米国特許第４，９４１，９８１号明細書に記載されている）掘削用流体（ｄｒｉｌｌｉｎｇ  ｆｌｕｉｄ）配合物に入れて用いることができる。
【００４７】
潤滑基油と混合して完成潤滑剤組成物を形成することのできる添加剤には、該完成潤滑剤のある種の特性を改善しようと意図されているものが包含される。典型的な添加剤には、例えば、耐磨耗性添加剤、洗浄剤、分散剤、酸化防止剤、流動点降下剤、粘度指数改良剤、摩擦調整剤（ｆｒｉｃｔｉｏｎ  ｍｏｄｉｆｉｅｒ）、乳化破壊剤、消泡剤、腐食抑制剤、シール膨張剤（ｓｅａｌ  ｓｗｅｌｌ  ａｇｅｎｔｓ）、等が包含される。完成潤滑剤が必要な流動点、動粘性率、引火点及び毒性特性を有するという条件で、他の炭化水素（例えば、米国特許第５，０９６，８８３号及び同第５，１８９，０１２号明細書に記載されているもの）を潤滑基油と混合することができる。完成潤滑剤中の添加剤の合計量は典型的には、約１〜約３０重量％の範囲に入る。しかし、本発明の、フィッシャー・トロプシュ法によって得られる潤滑基油の諸特性は優れているため、完成潤滑剤の仕様を満たすためには、石油から得られる従来の基油に必要とされる添加剤よりも少ない添加剤が必要であることがある。完成潤滑剤を配合するときの添加剤の使用方法は、文献に詳しく記録されており、また、十分に当業者の能力の範囲内にある。従って、この開示において更なる説明は必要でないであろう。
【００４８】
（諸例）
次の実施例は、本発明を更に明瞭にするために包含されるが、本発明の範囲を制限するものと解釈されるべきではない。
【００４９】
（例１）
フィッシャー・トロプシュ法によって得られた（ＦＴＢＯ−２．５と呼ぶ）留分であって１００℃で２〜３ｃＳｔの粘度を有する該留分を分析して、それの諸特性を、石油から得られた２種の市販の従来の油［ネックスベース（Ｎｅｘｂａｓｅ）３０２０及びペンゾイル（Ｐｅｎｎｚｏｉｌ）７５ＨＣ］であってほぼ同一範囲の粘度を有する該油と比較した。それら３種の試料の諸特性の比較を、以下に示す：
【００５０】
FTBO-2.5  Nexbase 3020    Pennzoil 75HC
１００℃での粘度（ｃＳｔ）      2.583      2.055            2.885
粘度指数（ＶＩ）                133        96                80
流動点，℃                      -30        -51              -38
ＴＧＡノアック揮発度（重量％）  48.94      70                59.1
【００５１】
フィッシャー・トロプシュ法によって得られる物質の１００℃での粘度は、従来の油の粘度に匹敵するが、その粘度指数（ＶＩ）は意外にも高く、そのために、任意の粘度に対し遥かに低い揮発度が生じる結果となるということに注目すべきである。
【００５２】
（例２）
例１からのＦＴＢＯ−２．５の異なる割合を、フィッシャー・トロプシュ法により得られる基油であって１００℃で４．４５５の粘度を有する該基油（ＦＴＢＯ−４．５と呼ぶ）と混合することによって、フィッシャー・トロプシュ法によって得られる３種の異なる潤滑基油を調製した。ＦＴＢＯ−４．５の諸特性は次の通りである：
１００℃での粘度（ｃＳｔ）  ４．４５５
粘度指数（ＶＩ）            １４７
流動点，℃                  −２０
【００５３】
各々の混合物中のＦＴＢＯ−２．５及びＦＴＢＯ−４．５の割合を、下の表１に示す：
【表１】
2010270341.tif 000002
【００５４】
３種の潤滑基油混合物の各々の諸特性を、下の表２にまとめる：
【表２】
2010270341.tif 000003
【００５５】
フィッシャー・トロプシュ法によって得られた３種の混合物は全て、ＴＧＡノアックによって測定される揮発度であって、エンジンオイルを混合するのに適切な該揮発度を有したことに注目すべきである。また、３種の混合物の各々の粘度指数は、ＦＴＢＯ−２．５及びＦＴＢＯ−４．５のいずれの粘度指数よりも高かったことにも注目すべきである。
【００５６】
（例３）
上の表２に示す、フィッシャー・トロプシュ法によって得られた潤滑基油の諸特性は、石油から得られた従来の市販の群Ｉ及び群ＩＩの軽質中性基油の諸特性であって下の表３にまとめられているものと比較することができる。
【００５７】
【表３】
2010270341.tif 000004
【００５８】
表２と表３を比較することによって、フィッシャー・トロプシュ法によって得られる潤滑基油は、従来の群Ｉ及び群ＩＩの軽質中性油に類似する、ノアック揮発度と１００℃での動粘性率とを有することが例証される。本発明のフィッシャー・トロプシュ法によって得られる潤滑基油はまた、エンジンオイルを混合するのに望ましい特性である、著しく優れた粘度指数と、より低い流動点と、より低いコールドクランキングシュミレータ（ＣＣＳ）粘度とを示す。
【００５９】
（例４）
例１からのＦＴＢＯ−２．５の異なる割合を、フィッシャー・トロプシュ法により得られる基油であって１００℃で７．９５３の粘度を有する該基油（ＦＴＢＯ−８と呼ぶ）と混合することによって、本発明の、フィッシャー・トロプシュ法によって得られる４種の異なる潤滑基油を調製した。ＦＴＢＯ−８の諸特性は次の通りである：
１００℃での粘度（ｃＳｔ）  ７．９５３
粘度指数（ＶＩ）            １６５
流動点，℃                  −１２
【００６０】
各々の混合物中のＦＴＢＯ−２．５及びＦＴＢＯ−８の割合を、下の表４に示す：
【表４】
2010270341.tif 000005
【００６１】
４種の潤滑基油混合物の各々の諸特性を、下の表５にまとめる：
【表５】
2010270341.tif 000006
【００６２】
４種の混合物は全て、５％〜９５％沸点の間で４００°Ｆより大きい沸点範囲分布を有すること；及び、混合物の２０重量％未満は、５０％沸点±２５°Ｆによって定義される領域内で沸騰すること；が分かる。また、それら混合物は全て、潤滑基油のための範囲に入る粘度と粘度指数とを示すことにも注目すべきである。
【手続補正書】
【提出日】平成22年9月7日(2010.9.7)
【手続補正１】
【補正対象書類名】特許請求の範囲
【補正対象項目名】全文
【補正方法】変更
【補正の内容】
【特許請求の範囲】
【請求項１】
フィッシャー・トロプシュ法によって得られる潤滑基油を含有している潤滑基油生成物であって、前記潤滑基油が、
ａ）フィッシャー・トロプシュ法によって得られる生成物を回収する工程；
ｂ）フィッシャー・トロプシュ法によって得られる前記生成物を、少なくとも、第１の留分と第２の留分とに分離する工程であって、第１の留分が１００℃で２ｃＳｔ以上であるが３ｃＳｔ未満である粘度によって特徴付けられ、しかも、第２の留分が１００℃で３．８ｃＳｔ〜８．５ｃＳｔの間の粘度によって特徴付けられる該工程；及び
ｃ）第１の留分を第２の留分と適切な割合で混合して、フィッシャー・トロプシュ法によって得られる潤滑基油であって、１００℃で３ｃＳｔ〜８ｃＳｔの間の粘度と、３５重量％未満のＴＧＡノアック揮発度とを有することによって特徴付けられる該潤滑基油を製造する工程；
を包含する方法に従って製造されている、上記潤滑基油生成物。
【請求項２】
分析方法Ｄ−６３５２又はそれと同等の方法によって、５％点〜９５％点の間で少なくとも１６７℃（３００°Ｆ）の沸点範囲分布を有している、請求項１に記載のフィッシャー・トロプシュ法によって得られる潤滑基油。
【請求項３】
ＴＧＡノアック揮発度が１２重量％以上である、請求項１に記載のフィッシャー・トロプシュ法によって得られる潤滑基油。
【請求項４】
ＴＧＡノアック揮発度が２０重量％より大きい、請求項３に記載のフィッシャー・トロプシュ法によって得られる潤滑基油。
【請求項５】
粘度指数が１３０〜１７５の間である、請求項１に記載のフィッシャー・トロプシュ法によって得られる潤滑基油。
【請求項６】
全イオウ含有量が５ｐｐｍ未満である、請求項１に記載のフィッシャー・トロプシュ法によって得られる潤滑基油。
【請求項７】
最終混合物に基づき、従来の中性の群Ｉ又は群IIの潤滑基油４０重量％〜９０重量％を更に含有している、請求項１に記載の潤滑基油生成物。
【請求項８】
最終混合物に基づき、従来の中性の群Ｉ又は群IIの潤滑基油４０重量％〜７０重量％を更に含有している、請求項７に記載の潤滑基油生成物。
【請求項９】
請求項１に記載の潤滑基油生成物と少なくとも１種の添加剤とを含有している完成潤滑剤。
【請求項１０】
「米国自動車技術者協会（ＳＡＥ）Ｊ３００」仕様（２００１年６月）を満たすマルチグレイド・クランク室用潤滑油である、請求項９に記載の完成潤滑剤。
【請求項１１】
５Ｗ−ＸＸの仕様を満たしている、請求項１０に記載の完成潤滑剤。
【請求項１２】
１０Ｗ−ＸＸの仕様を満たしている、請求項１０に記載の完成潤滑剤。
【請求項１３】
従来の中性の群Ｉ又は群IIの潤滑基油を更に含有している、請求項１０に記載の完成潤滑剤。
【請求項１４】
１０Ｗ−ＸＸの仕様を満たしている、請求項１３に記載の完成潤滑剤。
【請求項１５】
１５Ｗ−ＸＸの仕様を満たしている、請求項１３に記載の完成潤滑剤。
【請求項１６】
フィッシャー・トロプシュ法によって得られる潤滑基油を含有している潤滑基油生成物であって、前記潤滑基油が、
ａ）フィッシャー・トロプシュ法によって得られる生成物を回収する工程；
ｂ）フィッシャー・トロプシュ法によって得られる前記生成物を、少なくとも、第１の留分と第２の留分とに分離する工程であって、第１の留分が１００℃で２ｃＳｔ以上であるが３ｃＳｔ未満である粘度によって特徴付けられ、しかも、第２の留分が１００℃で７ｃＳｔ〜１２ｃＳｔの間の粘度によって特徴付けられる該工程；及び
ｃ）第１の留分を第２の留分と適切な割合で混合して、フィッシャー・トロプシュ法によって得られる潤滑基油であって、１００℃で３ｃＳｔ〜９ｃＳｔの間の粘度と、３５重量％未満のＴＧＡノアック揮発度とを有することによって特徴付けられる該潤滑基油を製造する工程；
を包含する方法に従って製造されている、上記潤滑基油生成物。
【請求項１７】
１００℃で１２〜２０ｃＳｔの間の粘度を有する底留分が、第１の留分及び第２の留分と混合されている、請求項１６に記載のフィッシャー・トロプシュ法によって得られる潤滑基油。
【請求項１８】
分析方法Ｄ−６３５２又はそれと同等の方法によって、５％点〜９５％点の間で少なくとも１７６．８℃（３５０°Ｆ）の沸点範囲分布を有している、請求項１６に記載のフィッシャー・トロプシュ法によって得られる潤滑基油。
【請求項１９】
分析方法Ｄ−６３５２又はそれと同等の方法によって、５％点〜９５％点の間で少なくとも２０４．６℃（４００°Ｆ）の沸点範囲分布を有している、請求項１８に記載のフィッシャー・トロプシュ法によって得られる潤滑基油。
【請求項２０】
粘度が、１００℃で４〜８ｃＳｔの間である、請求項１６に記載のフィッシャー・トロプシュ法によって得られる潤滑基油。
【請求項２１】
粘度が、１００℃で４〜５ｃＳｔの間である、請求項２０に記載のフィッシャー・トロプシュ法によって得られる潤滑基油。
【請求項２２】
ＴＧＡノアック揮発度が１２重量％以上である、請求項１６に記載のフィッシャー・トロプシュ法によって得られる潤滑基油。
【請求項２３】
ＴＧＡノアック揮発度が２０重量％より大きい、請求項２２に記載のフィッシャー・トロプシュ法によって得られる潤滑基油。
【請求項２４】
粘度指数が１３０〜１７５の間である、請求項１６に記載のフィッシャー・トロプシュ法によって得られる潤滑基油。
【請求項２５】
全イオウ含有量が５ｐｐｍ未満である、請求項１６に記載のフィッシャー・トロプシュ法によって得られる潤滑基油。
【請求項２６】
最終混合物に基づき、従来の中性の群Ｉ又は群IIの潤滑基油４０重量％〜９０重量％を更に含有している、請求項１６に記載の潤滑基油生成物。
【請求項２７】
最終混合物に基づき、従来の中性の群Ｉ又は群IIの潤滑基油４０重量％〜７０重量％を含有している、請求項２６に記載の潤滑基油生成物。
【請求項２８】
請求項１６に記載の潤滑基油生成物と少なくとも１種の添加剤とを含有している完成潤滑剤。
【請求項２９】
「米国自動車技術者協会（ＳＡＥ）Ｊ３００」仕様（２００１年６月）を満たしているマルチグレイド・クランク室用潤滑油である、請求項２８に記載の完成潤滑剤。
【請求項３０】
５Ｗ−ＸＸの仕様を満たしている、請求項２９に記載の完成潤滑剤。
【請求項３１】
１０Ｗ−ＸＸの仕様を満たしている、請求項２９に記載の完成潤滑剤。
【請求項３２】
従来の中性の群Ｉ又は群IIの潤滑基油を更に含有している、請求項２８に記載の完成潤滑剤。
【請求項３３】
１０Ｗ−ＸＸの仕様を満たしている、請求項３２に記載の完成潤滑剤。
【請求項３４】
１５Ｗ−ＸＸの仕様を満たしている、請求項２８に記載の完成潤滑剤。
【請求項３５】
３ｃＳｔ〜１０ｃＳｔの間の粘度を有しており、しかも、フィッシャー・トロプシュ法によって得られる潤滑基油を含有している潤滑基油生成物であって、前記潤滑基油が、１００℃で３〜９ｃＳｔの間の粘度と、３５重量％未満のＴＧＡノアック揮発度と、２８８℃（５５０°Ｆ）〜３２９．７℃（６２５°Ｆ）の範囲内の初留点と、５３８．２℃（１０００°Ｆ）〜７６０．６℃（１４００°Ｆ）の間の最終沸点とによって特徴付けられ；しかも、前記混合物の２０重量％未満が、５０％沸点±１３．９℃（２５°Ｆ）により規定される領域内で沸騰する、上記潤滑基油生成物。
【請求項３６】
分析方法Ｄ−６３５２又はそれと同等の方法によって、５％点〜９５％点の間で少なくとも１７６．８℃（３５０°Ｆ）の沸点範囲分布を有している、請求項３５に記載のフィッシャー・トロプシュ法によって得られる潤滑基油。
【請求項３７】
分析方法Ｄ−６３５２又はそれと同等の方法によって、５％点〜９５％点の間で少なくとも２０４．６℃（４００°Ｆ）の沸点範囲分布を有している、請求項３６に記載のフィッシャー・トロプシュ法によって得られる潤滑基油。
【請求項３８】
粘度が、１００℃で４〜５ｃＳｔの間である、請求項３５に記載のフィッシャー・トロプシュ法によって得られる潤滑基油。
【請求項３９】
ＴＧＡノアック揮発度が１２重量％以上である、請求項３５に記載のフィッシャー・トロプシュ法によって得られる潤滑基油。
【請求項４０】
ＴＧＡノアック揮発度が２０重量％より大きい、請求項３９に記載のフィッシャー・トロプシュ法によって得られる潤滑基油。
【請求項４１】
粘度指数が１３０〜１７５の間である、請求項３５に記載のフィッシャー・トロプシュ法によって得られる潤滑基油。
【請求項４２】
全イオウ含有量が５ｐｐｍ未満である、請求項３５に記載のフィッシャー・トロプシュ法によって得られる潤滑基油。
【請求項４３】
フィッシャー・トロプシュ法によって得られる潤滑基油を製造する方法において、
ａ）フィッシャー・トロプシュ法によって得られる生成物を回収する工程；
ｂ）フィッシャー・トロプシュ法によって得られる前記生成物を、少なくとも、第１の留分と第２の留分とに分離する工程であって、第１の留分が１００℃で２ｃＳｔ以上であるが３ｃＳｔ未満である粘度によって特徴付けられ、しかも、第２の留分が１００℃で３．８ｃＳｔ以上の粘度によって特徴付けられる該工程；及び
ｃ）第１の留分を第２の留分と適切な割合で混合して、フィッシャー・トロプシュ法によって得られる潤滑基油であって、１００℃で３ｃＳｔ〜１０ｃＳｔの間の粘度と、３５重量％未満のＴＧＡノアック揮発度とを有することによって特徴付けられる該潤滑基油を製造する工程；
を包含する、上記製造方法。
【請求項４４】
第１の留分は、１００℃で２．１〜２．８ｃＳｔの間の粘度を有する、請求項４３に記載の方法。
【請求項４５】
第１の留分は、１００℃で２．２〜２．７ｃＳｔの間の粘度を有する、請求項４４に記載の方法。
【請求項４６】
第２の留分は、１００℃で４〜１２ｃＳｔの間の粘度を有する、請求項４３に記載の方法。
【請求項４７】
第２の留分は、１００℃で３．８〜８ｃＳｔの間の粘度を有する、請求項４６に記載の方法。
【請求項４８】
第２の留分は、１００℃で３．８〜５ｃＳｔの間の粘度を有する、請求項４７に記載の方法。
【請求項４９】
フィッシャー・トロプシュ法によって得られる潤滑基油は、１００℃で４．２〜４．８ｃＳｔの間の粘度を有する、請求項４８に記載の方法。
【請求項５０】
フィッシャー・トロプシュ法によって得られる第３の留分であって１００℃で６ｃＳｔ〜１２ｃＳｔの間の粘度を有する該留分を、フィッシャー・トロプシュ法によって得られる潤滑基油の中に混合する追加工程を包含する、請求項４８に記載の方法。
【請求項５１】
第２の留分は、１００℃で５．８〜６．６ｃＳｔの間の粘度を有する、請求項４７に記載の方法。
【請求項５２】
第２の留分は、１００℃で８ｃＳｔより大きく１０ｃＳｔ以下の範囲内の粘度を有する、請求項４６に記載の方法。
【請求項５３】
第２の留分は、１００℃で１０ｃＳｔより大きく１２ｃＳｔ以下の範囲内の粘度を有する、請求項４６に記載の方法。
【請求項５４】
１００℃で９〜２０ｃＳｔの間の粘度を有する底留分を、第１の留分及び第２の留分と混合する、請求項４３に記載の方法。
【請求項５５】
底留分は、１００℃で１０〜１６ｃＳｔの間の粘度を有する、請求項５４に記載の方法。
【請求項５６】
フィッシャー・トロプシュ法によって得られる潤滑基油は、１００℃で４ｃＳｔ〜５ｃＳｔの間の粘度を有する、請求項４３に記載の方法。
【請求項５７】
フィッシャー・トロプシュ法によって得られる潤滑基油のＴＧＡノアック揮発度は、１２重量％より大きい、請求項４３に記載の方法。
【請求項５８】
フィッシャー・トロプシュ法によって得られる潤滑基油を少なくとも１種の添加剤と混合して、完成潤滑剤を製造する追加工程を包含する、請求項４３に記載の方法。
【請求項５９】
フィッシャー・トロプシュ法によって得られる潤滑基油を、全混合物に基づき、従来の中性の群Ｉ又は群IIの潤滑基油４０重量％〜９０重量％と混合する追加工程を包含する、請求項４３に記載の方法。
【請求項６０】
フィッシャー・トロプシュ法によって得られる潤滑基油を、全混合物に基づき、従来の中性の群Ｉ又は群IIの潤滑基油４０重量％〜７０重量％と混合する、請求項５９に記載の方法。
【外国語明細書】
2010270341000001.pdf